(57)【特許請求の範囲】
【請求項１】
血管近傍の皮膚の上に配置されるひずみセンサと、
ひずみセンサと離間した位置における皮膚の上に配置される圧力センサと、
患者に対して装着され、ひずみセンサと圧力センサとを皮膚表面に対して配置して固定する装着具と、
装着具の内側に配置され、皮膚表面に対するひずみセンサの押し付け圧力を調整する圧力調整部と、
圧力センサにより検出された圧力情報に基づいて、皮膚表面に対するひずみセンサの押し付け圧力が設定範囲内となるように、圧力調整部を制御する圧力制御装置と、
ひずみセンサによる検出情報に基づいて、血圧値を算出する血圧算出装置と、
を備える、血圧測定装置。
【請求項２】
圧力調整部は、装着具の内側において、ひずみセンサおよび圧力センサから離間して配置される、請求項１に記載の血圧測定装置。
【請求項３】
血圧算出装置は、ひずみセンサによる検出情報に基づいて圧力の周期的な変動を連続波形として算出し、算出された連続波形に基づいて血圧値を連続的に算出する、請求項１または２に記載の血圧測定装置。
【請求項４】
血圧算出装置は、連続波形の極大値から最高圧を算出し、連続波形の極小値から最低圧を算出する、請求項３に記載の血圧測定装置。
【請求項５】
装着具は、患者の腕を周回して装着する装着バンドである、請求項１から４のいずれか１つに記載の血圧測定装置。
【請求項６】
請求項１から５のいずれか１つに記載の血圧測定装置と、
患者に対して装着され、血圧測定装置による血圧値測定のキャリブレーションを行うための基準情報として、血圧値を測定するキャリブレーション用血圧測定装置と、を備え、
血圧測定装置の血圧算出装置は、キャリブレーション用血圧測定装置から入力される血圧値に基づいて、ひずみセンサによる検出情報に基づいた血圧値算出のキャリブレーションを行う、血圧測定システム。
【請求項７】
キャリブレーション用血圧測定装置は、オシロメトリック法またはリバロッチ・コロトコフ法に基づいて血圧測定を行う装置である、請求項６に記載の血圧測定システム。
【請求項８】
キャリブレーション用血圧測定装置から基準情報としての血圧値が、血圧測定装置の血圧算出装置に定期的に入力され、血圧算出装置において定期的にキャリブレーションが行われる、請求項６または７に記載の血圧測定システム。
【請求項９】
血管近傍の皮膚の上に配置されたひずみセンサと、ひずみセンサと離間した位置における皮膚の上に配置された圧力センサと、ひずみセンサおよび圧力センサから離間して配置された圧力調整部とを、固定するように、装着具を患者に対して装着し、
圧力センサにより検出された圧力情報に基づいて、圧力制御部により皮膚表面に対するひずみセンサの押し付け圧力を設定範囲内に保ちながら、ひずみセンサによる検出情報に基づいて血圧値を算出する、血圧測定方法。
【請求項１０】
血圧値の算出において、ひずみセンサによる検出情報に基づいて圧力の周期的な変動を連続波形として算出し、算出された連続波形に基づいて血圧値を連続的に算出するとともに、血圧値の連続的な測定を行っている際に、キャリブレーション用血圧測定装置を用いて、基準情報としての血圧値を測定し、測定された血圧値に基づいて、ひずみセンサによる検出情報に基づいた血圧値算出のキャリブレーションを行う、請求項９に記載の血圧測定方法。
【発明の詳細な説明】
【技術分野】
【０００１】
本開示は、血圧測定装置、血圧測定システムおよび血圧測定方法に関する。
【背景技術】
【０００２】
血液透析は、患者の状態を十分に確認しながら行う必要がある。例えば、血液透析中においては、循環血液量の低下に伴って患者の血圧が除々に低下してくることが知られている。そのため、血圧測定装置を用いて、血圧の低下状態が適切範囲にあるのかどうかを適宜確認しながら血液透析が行われる。また、血液透析において患者の血圧を連続的に測定することができる血圧測定装置が知られている（例えば、特許文献１参照）。
【先行技術文献】
【特許文献】
【０００３】
【特許文献１】国際公開２００４／０６９０４９号
【発明の概要】
【発明が解決しようとする課題】
【０００４】
血液透析療法では、患者はベッドやチェアに例えば３〜４時間は拘束された状態となり、血液透析中に患者は食事を採るなど、じっとはしていない。そのため、透析患者に対する血圧測定を連続的に行うような場合は、静止状態にて行われる短時間での血圧測定とは異なり、患者が動くことに起因して測定条件が変わってしまい、精確な血圧値を取得することができない場合がある。
【０００５】
従って、本開示の目的は、上記従来の課題を解決することにあって、測定条件の変化を抑制して、より精確な血圧値を取得することができる血圧測定装置、血圧測定システムおよび血圧測定方法を提供することにある。
【課題を解決するための手段】
【０００６】
上記目的を達成するために、本開示の血圧測定装置、血圧測定システムおよび血圧測定方法は以下のように構成する。
【０００７】
本開示の一の態様によれば、血管近傍の皮膚の上に配置されるひずみセンサと、ひずみセンサと離間した位置における皮膚の上に配置される圧力センサと、患者に対して装着され、ひずみセンサと圧力センサとを皮膚表面に対して配置して固定する装着具と、装着具の内側に配置され、皮膚表面に対するひずみセンサの押し付け圧力を調整する圧力調整部と、圧力センサにより検出された圧力情報に基づいて、皮膚表面に対するひずみセンサの押し付け圧力が設定範囲内となるように、圧力調整部を制御する圧力制御装置と、ひずみセンサによる検出情報に基づいて、血圧値を算出する血圧算出装置と、を備える血圧測定装置を提供する。
【０００８】
また、血圧測定装置と、患者に対して装着され、血圧測定装置による血圧値測定のキャリブレーションを行うための基準情報として、血圧値を測定するキャリブレーション用血圧測定装置と、を備え、血圧測定装置の血圧算出装置は、キャリブレーション用血圧測定装置から入力される血圧値に基づいて、ひずみセンサによる検出情報に基づいた血圧値算出のキャリブレーションを行う、血圧測定システムを提供する。
【０００９】
また、血管近傍の皮膚の上に配置されたひずみセンサと、ひずみセンサと離間した位置における皮膚の上に配置された圧力センサと、ひずみセンサおよび圧力センサから離間して配置された圧力調整部とを、固定するように、装着具を患者に対して装着し、圧力センサにより検出された圧力情報に基づいて、圧力制御部により皮膚表面に対するひずみセンサの押し付け圧力を設定範囲内に保ちながら、ひずみセンサによる検出情報に基づいて血圧値を算出する、血圧測定方法を提供する。
【発明の効果】
【００１０】
本開示の血圧測定装置、血圧測定システムおよび血圧測定方法によれば、測定条件の変化を抑制して、より精確な血圧値を取得することができる。
【図面の簡単な説明】
【００１１】
【図１】本開示の一の実施の形態にかかる血圧測定装置の外観図（腕に装着状態）
【図２】実施の形態の血圧測定装置の断面図（制御ブロック図を含む）
【図３】実施の形態の血圧測定装置におけるひずみセンサの出力例のグラフ
【発明を実施するための形態】
【００１２】
本開示の第１態様の血圧測定装置は、血管近傍の皮膚の上に配置されるひずみセンサと、ひずみセンサと離間した位置における皮膚の上に配置される圧力センサと、患者に対して装着され、ひずみセンサと圧力センサとを皮膚表面に対して配置して固定する装着具と、装着具の内側に配置され、皮膚表面に対するひずみセンサの押し付け圧力を調整する圧力調整部と、圧力センサにより検出された圧力情報に基づいて、皮膚表面に対するひずみセンサの押し付け圧力が設定範囲内となるように、圧力調整部を制御する圧力制御装置と、ひずみセンサによる検出情報に基づいて、血圧値を算出する血圧算出装置と、を備えるものである。
【００１３】
本開示の第２態様の血圧測定装置は、第１態様の血圧測定装置において、圧力調整部は、装着具の内側において、ひずみセンサおよび圧力センサから離間して配置されるものである。
【００１４】
本開示の第３態様の血圧測定装置は、第１または第２態様の血圧測定装置において、血圧算出装置は、ひずみセンサによる検出情報に基づいて圧力の周期的な変動を連続波形として算出し、連続波形に基づいて血圧値を連続的に算出するものである。
【００１５】
本開示の第４態様の血圧測定装置は、第３態様の血圧測定装置において、血圧算出装置は、連続波形の極大値から最高圧を算出し、連続波形の極小値から最低圧を算出するものである。
【００１６】
本開示の第５態様の血圧測定装置は、第１から第４態様のいずれか１つの血圧測定装置において、装着具は、患者の腕を周回して装着する装着バンドとしたものである。
【００１７】
本開示の第６態様の血圧測定システムは、第１から第５態様のいずれか１つの血圧測定装置と、患者に対して装着され、血圧測定装置による血圧値測定のキャリブレーションを行うための基準情報として、血圧値を測定するキャリブレーション用血圧測定装置と、を備え、血圧測定装置の血圧算出装置は、キャリブレーション用血圧測定装置から入力される血圧値に基づいて、ひずみセンサによる検出情報に基づいた血圧値算出のキャリブレーションを行うものである。
【００１８】
本開示の第７態様の血圧測定システムは、第６態様の血圧測定システムにおいて、キャリブレーション用血圧測定装置は、オシロメトリック法またはリバロッチ・コロトコフ法に基づいて血圧測定を行う装置としたものである。
【００１９】
本開示の第８態様の血圧測定システムは、第６または第７態様の血圧測定システムにおいて、キャリブレーション用血圧測定装置から基準情報としての血圧値が、血圧測定装置の血圧算出装置に定期的に入力され、血圧算出装置において定期的にキャリブレーションが行われるものである。
【００２０】
本開示の第９態様の血圧測定方法は、血管近傍の皮膚の上に配置されたひずみセンサと、ひずみセンサと離間した位置における皮膚の上に配置された圧力センサと、ひずみセンサおよび圧力センサを覆うように配置された圧力調整部とを、固定するように、装着具を患者に対して装着し、圧力センサにより検出された圧力情報に基づいて、圧力制御部により皮膚表面に対するひずみセンサの押し付け圧力を設定範囲内に保ちながら、ひずみセンサによる検出情報に基づいて血圧値を算出するものである。
【００２１】
本開示の第１０態様の血圧測定方法は、第９態様の血圧測定方法において、血圧値の算出において、ひずみセンサによる検出情報に基づいて圧力の周期的な変動を連続波形として算出し、算出された連続波形に基づいて血圧値を連続的に算出するとともに、血圧値の連続的な測定を行っている際に、キャリブレーション用血圧測定装置を用いて、基準情報としての血圧値を測定し、測定された血圧値に基づいて、ひずみセンサによる検出情報に基づいた血圧値算出のキャリブレーションを行うものである。
【００２２】
以下に、本開示にかかる実施の形態を図面に基づいて詳細に説明する。
【００２３】
本開示の一の実施の形態にかかる血圧測定装置１０を患者の腕１に装着した状態の外観図を図１に示し、制御ブロック図を含めた血圧測定装置１０の断面図を図２に示す。
【００２４】
図１および図２に示すように、本実施の形態の血圧測定装置１０は、ひずみセンサ１１と、圧力センサ１２と、装着バンド１３と、圧力調整部１４と、コントローラ２０とを備える。
【００２５】
ひずみセンサ１１は、患者の腕１において血管２近傍の皮膚の上に配置され、血管２から伝達される周期的な圧変動をひずみ量として検出するセンサである。このようなひずみセンサ１１としては、例えば、ひずみがかかると回路の抵抗値が変化するピエゾ抵抗体を内蔵した半導体ひずみセンサを用いてもよい。なお、ひずみセンサ１１としては、血管２から伝達される周期的な圧変動をひずみ量として検出できるセンサであればよく、その他、様々な形式のひずみセンサを採用してもよい。また、ひずみセンサ１１は、小型のセンサを用いることが好ましく、例えば、５ｍｍ角〜２ｃｍ角程度の小型のセンサを用いてもよい。また、より高い精度の血圧測定を行うために、ひずみセンサ１１は、例えば、アンプを内蔵した高い感度のものを用いてもよい。
【００２６】
圧力センサ１２は、患者の腕１においてひずみセンサ１１と離間した位置における皮膚の上に配置され、後述するように、皮膚表面に対するひずみセンサ１１の押し付け圧力を検出するセンサである。このような圧力センサ１２としては、皮膚表面に対するひずみセンサ１１の押し付け圧力を検出できるものであればよく、様々な形式のセンサを採用してもよい。また、圧力センサ１２は、ひずみセンサ１１が検出する血管２の圧変動の影響をできるだけ受けないように、ひずみセンサ１１から離れた位置に配置されることが好ましい。
【００２７】
装着バンド１３は、患者の腕１に巻き回して脱着可能に装着するものである。装着バンド１３を患者の腕１に装着することにより、ひずみセンサ１１および圧力センサ１２を患者の腕１の皮膚表面における所望の位置に配置して固定することができる。装着バンド１３は、腕１に巻き回できる程度に柔軟な材料または構造で構成されることが好ましい。装着バンド１３としては、例えば、布、ゴムまたは合成樹脂などにより構成されてもよい。また、装着バンド１３の両端には互いに解除可能に接合可能な接合部分が設けられており、接合部分としては、例えば、面ファスナを用いてもよい。なお、ひずみセンサ１１による精度の高い検出を行うとの観点からは、装着バンド１３は、伸縮性がより低い材料で構成されることが好ましい。
【００２８】
圧力調整部１４は、空気が封入されているエアバッグ１５と、エアバッグ１５への空気の封入量を調整するエア調整機構１６と、エアバッグ１５とエア調整機構１６とを接続するエアチューブ１７とを備える。
【００２９】
エアバッグ１５は、装着バンド１３の内側に配置され、内部に封入される空気量に応じて伸縮することで、装着バンド１３の締め付け圧力を調整するものである。本実施の形態では、エアバッグ１５は、ひずみセンサ１１および圧力センサ１２から離間した位置に配置されている。すなわち、装着バンド１３の内側において、エアバッグ１５は、ひずみセンサ１１および圧力センサ１２と直接接触することなく、離れた位置に配置されている。なお、エアバッグ１５は、ひずみセンサ１１および圧力センサ１２を覆うように、もしくはひずみセンサ１１および圧力センサ１２のいずれか一方を覆うように配置されてもよい。ただし、本実施の形態にように、エアバッグ１５がそれぞれのセンサ１１、１２から離間していることにより、エアバッグ１５の伸縮によるセンサ１１、１２への直接的な影響を抑制して、センサの検出精度を高めることができる。
【００３０】
エア調整機構１６は、エアチューブ１７を通してエアバッグ１５に空気を供給するポンプと、エアチューブ１７を通してエアバッグ１５内の封入空気を排出する排出弁とを備える。エア調整機構１６においてポンプおよび排出弁の動作を制御することにより、エアバッグ１５内の封入空気量を調整する。エアバッグ１５内の封入空気量を調整することにより、装着バンド１３の締め付け圧力を調整することができる。その結果、皮膚表面に対するひずみセンサ１１の押し付け力および圧力センサ１２の押し付け圧力を調整することができる。なお、エア調整機構１６は、エアバッグ１５の空気封入量を調整できる機能があればよく、ポンプや排気弁以外の構成要素により構成されてもよい。また、圧力調整部１４が空気を圧力媒体として用いる場合を例としたが、圧力媒体は他の流体（液体、気体を含む）であってもよい。
【００３１】
なお、装着バンド１３の内側に、エアバッグ１５、ひずみセンサ１１、および圧力センサ１２が予め取り付けられているようにしてもよい。この場合、装着バンド１３を腕１に巻き回することにより、エアバッグ１５、ひずみセンサ１１および圧力センサ１２を皮膚表面における所望の位置に配置させることができる。また、エア調整機構１６を小型化することができる場合には、エア調整機構１６を装着バンド１３の内側に配置してもよい。
【００３２】
コントローラ２０は、血圧測定装置１０において血圧測定にかかわる各種制御を行うものであり、圧力制御装置２１と血圧算出装置２２とを備える。
【００３３】
圧力制御装置２１は、圧力センサ１２により検出された圧力情報である信号が入力され、入力信号に基づいて皮膚表面に対する装着バンド１３内の圧力を算出する。圧力制御装置２１は、例えば、圧力センサ１２からの信号をデジタルデータに変換する変換回路、デジタルデータを演算処理して装着バンド１３内の圧力を算出する演算回路等を有している。さらに、圧力制御装置２１は、信号データ、処理データおよび設定データを記憶する記憶回路、および算出された圧力を表示する表示装置を有している。
【００３４】
また、圧力制御装置２１において、記憶回路には予め設定圧力範囲（設定範囲）が記憶されており、算出された装着バンド１３内の圧力が、設定圧力範囲内となるように、圧力制御装置２１によりエア調整機構１６が制御される。すなわち、算出された圧力が設定圧力範囲を上回っている場合には、圧力制御装置２１はエア調整機構１６を制御して、エアバッグ１５内の空気を排出させて、装着バンド１３内の圧力（締め付け圧力）を低下させる。一方、算出された圧力が設定圧力範囲を下回っている場合には、圧力制御装置２１はエア調整機構１６を制御して、エアバッグ１５内に空気を供給させて、装着バンド１３内の圧力を上昇させる。
【００３５】
本実施の形態の血圧測定装置１０では、圧力センサ１２とひずみセンサ１１とが、共に装着バンド１３により皮膚表面に配置された構成が採用されている。そのため、圧力センサ１２により検出された装着バンド１３の圧力を、皮膚表面に対するひずみセンサ１１の押し付け圧力と近似して見なすことができる。なお、皮膚表面に対するひずみセンサ１１の押し付け圧力としては、血圧の最高圧以上の圧力に設定することが好ましい。このように設定することで、ひずみセンサ１１を確実に皮膚表面に固定して、血管２から伝わる脈動をひずみとして精度よく検出することができる。圧力制御装置２１において予め設定される設定圧力範囲としては、ある基準値を設定し、それに対して所定の許容範囲が設けられることで範囲を設定としてもよく、また、上限値および下限値を設けて範囲を設定してもよい。
【００３６】
ひずみセンサ１１の押し付け圧力は血圧の最高圧以上であればよいが、血圧の連続測定をするに際し、患者の血管を圧迫しすぎる状態が続き血流に支障を来たしても好ましくない。そのため、押し付け圧力は最高血圧＋０ｍｍＨｇ〜２０ｍｍＨｇの範囲程度に収めることが好ましい。ただし、押し付け圧力を最高血圧未満としてしまうと、押し付け圧力を超えた血圧値については、ひずみセンサ１１自体が持ち上げられることになりひずみを受け止められず、実際よりも低い値が出てしまうので注意が必要である。
【００３７】
血圧算出装置２２は、ひずみセンサ１１による検出情報に基づいて、圧力の周期的な変動を連続波形として算出し、算出された連続波形に基づいて血圧値を連続的に算出する。血圧算出装置２２は、例えば、ひずみセンサ１１を駆動する駆動回路と、ひずみセンサ１１からの信号を受け取り、受け取った信号を処理して血圧値を算出する制御回路とを備える。制御回路は、例えば、ひずみセンサ１１からの信号をデジタルデータに変換する変換回路と、デジタルデータを演算処理して血圧値を算出する演算回路と、信号データおよび処理データを記憶する記憶回路とを有している。さらに、血圧算出装置２２は、算出された血圧値を表示する表示装置等を備えていてもよい。
【００３８】
このような構成を有する本実施の形態の血圧測定装置１０を用いて、患者の血圧を測定する血圧測定方法について説明する。
【００３９】
まず、患者の腕１において、血管２近傍の皮膚の上にひずみセンサ１１が配置され、ひずみセンサ１１と離間した位置における皮膚の上に圧力センサ１２が配置されるように、装着バンド１３を腕に巻き回して装着する。この装着の際に、ひずみセンサ１１および圧力センサ１２から離間した位置にエアバッグ１５を配置する。この状態において、ひずみセンサ１１、圧力センサ１２、およびエアバッグ１５が、装着バンド１３により締め付けられて、腕１に固定された状態となる。
【００４０】
次に、圧力制御装置２１は、圧力センサ１２からの検出信号に基づいて皮膚表面に対する装着バンド１３内の圧力を算出する。圧力制御装置２１は、算出された圧力が予め記憶されている設定圧力範囲内となるように、エア調整機構１６が制御されて、エアバッグ１５内の封入空気量が調整される。これにより、装着バンド１３内の圧力、すなわち、皮膚表面に対するひずみセンサ１１の押し付け圧力が、設定圧力範囲内に維持される。
【００４１】
このようにひずみセンサ１１の押し付け圧力が一定の範囲内に維持された状態において、血圧算出装置２２は、ひずみセンサ１１からの検出信号に基づいて、圧力の周期的な変動を連続波形として算出し、算出された連続波形に基づいて血圧値を連続的に算出する。表示装置等が設けられている場合には、算出された血圧値が表示装置に表示される。
【００４２】
また、血圧測定中において、例えば、患者が動くことに起因して装着バンド１３の締め付け状態が変化した場合であっても、圧力制御装置２１により圧力センサ１２の検出信号に基づいてエアバッグ１５内の封入空気量が調整される。そのため、装着バンド１３内の圧力を一定の範囲内に保つことができる。よって、患者の動きによる測定条件の変動を抑制して、皮膚表面に対するひずみセンサ１１の押し付け圧力を一定の範囲内に保ちながら、精度の良い血圧測定を連続的に行うことができる。
【００４３】
ここで、ひずみセンサ１１の出力例を図３に示す。図３において、縦軸はひずみ（με）を示し、横軸は時間（０．１ｓ）を示している。
【００４４】
本実施の形態の血圧測定装置１０では、微小なひずみを検出可能なひずみセンサ１１を備えるとともに、皮膚表面に対するひずみセンサ１１の押し付け圧力の変動を抑制するような構成を採用している。そのため、心臓の収縮および拡張に対応した血管２内の脈波（圧変動）が、血管２近傍の皮膚表面の微小なひずみの変動となって、ひずみセンサ１１により検出することができる。
【００４５】
図３に示すように、ひずみセンサ１１の出力信号は、基本的には極大値と極小値とを交互に繰り返す連続波形を描く。この連続波形は動脈圧波形とみなすことができる。連続波形において、極小値は心臓の拡張により血管２に生じるひずみであり、極大値は心臓の収縮により血管２に生じるひずみである。このため、動脈圧波形の極大値は血管２の最高圧（収縮期血圧に等しい）と相関し、動脈圧波形の極小値は血管２の最低圧（拡張期血圧に等しい）と相関する。
【００４６】
血圧測定装置１０を使用する前に、ひずみセンサ１１のキャリブレーションを行うことが好ましい。例えば、一般的な血圧測定装置を別途用意して患者の血圧値を測定し、この測定結果を、血圧測定装置１０により測定された血圧値と比較することにより、血圧測定装置１０のキャリブレーションを行ってもよい。一般的な血圧測定装置としては、連続的あるいは非連続的（例えば、一時的）に血圧を測定可能な装置であってもよく、また、オシロメトリック法またはリバロッチ・コロトコフ法に基づいて血圧測定を行う装置であってもよい。また、キャリブレーションは、血圧測定装置１０による血圧測定を行っている際にも行うことができる。
【００４７】
患者の腕に装着して血圧測定を行う装置である場合には、血圧測定装置１０が装着されている同じ側の腕に装着してもよく、また、反対側の腕に装着して血圧測定を行ってもよい。また、キャリブレーションは、作業者がマニュアルで行う場合であってもよく、測定基準となる血圧測定装置と、本実施の形態の血圧測定装置１０とを有線または無線で接続して、予め設定されたアルゴリズムにしたがって自動的に行われる場合であってもよい。本実施の形態の血圧測定装置１０と、血圧測定装置１０による血圧値測定のキャリブレーションを行うための基準情報として、血圧値を測定するキャリブレーション用血圧測定装置と、を備える血圧測定システムとしてもよい。この場合、血圧測定装置１０の血圧算出装置２２は、キャリブレーション用血圧測定装置から入力される血圧値に基づいて、ひずみセンサ１１による検出情報に基づいた血圧値算出のキャリブレーションを自動的に行うようにしてもよい。
【００４８】
例えば、血圧測定装置１０にて連続的に血圧測定が行われている際に、予め設定された範囲を逸脱するような血圧値が測定された場合に、キャリブレーションを行うようにしてもよい。このようにキャリブレーションを行うことで、血圧測定装置１０により測定される血圧値の精度を高めることができる。特に、血液透析中においては、患者が動くことに起因して測定条件が変わってしまうことも考えられるため、連続的な血圧測定中に定期的にキャリブレーションを行うことが推奨される。例えば、キャリブレーションを３０分〜１時間ごとに行うようにしてもよい。
【００４９】
このように、本実施の形態にかかる血圧測定装置１０によれば、圧力センサ１２により検出された圧力情報に基づいて、皮膚表面に対するひずみセンサ１１の押し付け圧力が設定範囲内となるように、エアバッグ１５内の封入空気量を調整している。そのため、血液透析療法などにおいて、長時間に渡る連続的な血圧測定を行うような場合であっても、患者の動きにかかわらず、測定条件の変化を抑制することができる。また、ひずみセンサ１１を用いてより精確な血圧値を連続的に取得することができる。
【００５０】
上述の実施の形態の説明では、装着具として装着バンド１３を用いて、ひずみセンサ１１および圧力センサ１２を皮膚表面に対して固定する場合を例としたが、装着具は装着バンドに限られない。それぞれのセンサを皮膚表面に対して押し付けて固定するようなものであればその形態は限定されず、例えば、皮膚に密着するような衣類を装着具として用いてもよい。
【００５１】
圧力センサ１２としては様々形式のものを用いることができるが、例えば、圧力センサとしてひずみセンサと同じ形式のものを用いてもよい。同じ形式のセンサとすることで、圧力センサにより検出された圧力と、皮膚表面に対するひずみセンサの押し付け圧力とがより近似させることができる。
【００５２】
ひずみセンサ１１が装着バンド１３の内側に予め取り付けられている場合に、ひずみセンサ１１を回動可能に装着バンド１３に取り付けるようにしてもよい。このようにすることで、血管２に沿うようにひずみセンサ１１を容易に配置させることができる。
【００５３】
また、ひずみセンサ１１および圧力センサ１２と、コントローラ２０との接続は有線接続に限られず、無線接続であってもよい。また、血圧測定装置１０にて測定された血圧情報を、他の装置に送信して、他の装置において血圧状態を監視するようにしてもよい。
【００５４】
また、血圧測定が患者の腕において行われる場合を例としたが、その他の部位にて血圧測定が行われるような場合であってもよい。また、血圧測定装置１０による血圧測定は、血液透析療法において用いられる場合に限られず、その他の療法において用いられてもよい。
【００５５】
なお、上記様々な実施の形態のうちの任意の実施の形態を適宜組み合わせることにより、それぞれの有する効果を奏するようにすることができる。
【符号の説明】
【００５６】
１  腕
２  血管
１０  血圧測定装置
１１  ひずみセンサ
１２  圧力センサ
１３  装着バンド
１４  圧力調整部
１５  エアバッグ
１６  エア調整機構
１７  エアチューブ
２０  コントローラ
２１  圧力制御装置
２２  血圧算出装置
【図１】
0006676915.tif 000002
【図２】
0006676915.tif 000003
【図３】
0006676915.tif 000004